(57)【要約】      （修正有）【課題】排卵測定器の構造を提供する。【解決手段】前本体１及び後本体２で構成する排卵測定器であり、前本体の内側及び内側端に上結合部１１及び上載ガラス１２を設け、外側端にスイッチ１３を設け、且つ外結合部１３１を具有し、前本体に設ける内結合部１０と対応する。スイッチと上載ガラスの間で順に電気供給セット１４及び発光体１５を設け、発光体と上載ガラスの間にディヒューザー１６を設ける。後本体は、前本体の内側に設け、内側及び内側端にそれぞれ、上結合部と対応する下結合部２１及び、上載ガラスと対応する下載ガラス２２を設け、後本体の中央の下載ガラスに隣接した場所にレンズ２３を設け、更に後本体の外側端にクリップを設ける。この構造により、繰り返して使用することができ、操作は時間がかからず簡単であり、異なる時間の唾液の結晶記録を提供し、手軽に比較できる。前本体と後本体を損壊しにくく、及び唾液が上載ガラス或いは下載ガラスから外れることによる汚染が少ない。【選択図】図１
0003203552.tif 000002
【実用新案登録請求の範囲】
【請求項１】
前本体及び後本体を具有し、
該前本体は筒状体を呈し、当該内側及び内側端にそれぞれ上結合部及び上載ガラスを設け、該外側端にスイッチを設け、且つ外結合部を具有し、該外結合部は前本体に設ける内結合部と対応し、スイッチと上載ガラスの間で、外側から内側に向かって順に、電気供給セット及び、電気供給セットと接続する発光体を設け、該発光体と上載ガラスの間にディヒューザーを設け、
該後本体は、前本体の内側に設け、それは筒状体を呈し、且つ内側及び内側端にそれぞれ、前本体の上結合部と対応する下結合部及び、前本体の上載ガラスと対応する下載ガラスを設け、該後本体の中央の下載ガラスに隣接した場所に少なくともレンズを設けることを特徴とする排卵測定器の構造。
【請求項２】
前記前本体の上結合部及び後本体の下結合部は磁石或いは掛合できる栓にできることを特徴とする請求項１記載の排卵測定器の構造。
【請求項３】
前記後本体の外側の周りに溝及び底溝を設け、且つ底溝に隣接して弾性フックを突出して設けることを特徴とする請求項１記載の排卵測定器の構造。
【請求項４】
前記後本体の外側端にクリップを設けることを特徴とする請求項１記載の排卵測定器の構造。
【請求項５】
前記後本体の外側端にクリップを設けることを特徴とする請求項３記載の排卵測定器の構造。
【請求項６】
前記クリップは互いに套合して対応する二つの挟持部及び、二つの挟持部の間に設けるスプリングを含み、その中で、後本体の外側に隣接する狭持部に、後本体のレンズと対応する穴を設け、且つ該外側端から受け台を延伸して設け、該受け台の内側縁に、後本体の溝に対応するフランジを設け、且つ該受け台は後本体の弾性フックに対応して嵌穴を設けることを特徴とする請求項５記載の排卵測定器の構造。
【請求項７】
前記クリップの受け台に、後本体の底溝と対応する定位突起を設けることを特徴とする請求項３記載の排卵測定器の構造。
【請求項８】
前記クリップの受け台に、後本体の底溝と対応する定位突起を設けることを特徴とする請求項６記載の排卵測定器の構造。
【請求項９】
前記クリップの二つの挟持部の内側に、それぞれ緩衝材を設けることを特徴とする請求項８記載の排卵測定器の構造。
【請求項１０】
前記クリップに携帯電話を設け、且つ該携帯電話はレンズ及びクリップの挟持部に対応する穴を具有することを特徴とする請求項９記載の排卵測定器の構造。
【考案の詳細な説明】
【技術分野】
【０００１】
本考案は一種の測定器に関し、更に詳しくは、排卵測定器の構造に関する。
特に前本体及び後本体を利用して上結合部及び下結合部を互いに装着し、それによりエストロゲンが存在する唾液を前本体或いは後本体の上載ガラス或いは下載ガラスに塗布し、ディヒューザーが均等に発光体の光源を上載ガラス或いは下載ガラスに投射し、電気供給セットの交換は回して組み立て、更に、詳しくは、クリップを利用し、レンズを具有する携帯電話に挟持して自動的に焦点を調整し、異なる時間に上載ガラス或いは下載ガラスに塗布した唾液が乾燥して結晶になった写真を記録として撮ることができる排卵測定器の構造に関する。
【背景技術】
【０００２】
従来、女性が排卵の有無を知るためには、排卵テストスティックで黄体形成ホルモン(LH)のピーク値をチェックして排卵しているか否かを予測する。
しかし、従来の排卵テストスティックの正確率は僅か７５％しかなく、排卵テストスティックは排卵のおよそな時間を予測できても、排卵当日の確定はできない。排卵テストスティックは前もって陽性と示すが、陽性を示しても排卵の提示がなく、５０％の確率で陽性と示してから２４から７２時間内で排卵する。具体的な時間を知る由もないため、妊娠したくない女性が妊娠したり、或いは、妊娠したい女性が受精に失敗したりする結果を招く。
【０００３】
また、従来品の排卵テストスティックの価格は高く、重複して使用できず、エコではないほか、操作は隠れてトイレで行う必要がある。また、尿液を小さなシートの排卵テストスティックに塗るのは難しく且つ時間も手間もかかる。更に排卵テストスティック及びその外側のハードプラスティックケースのゴミを作り出すなど、実用的ではない部分は、業者も消費者も突破したいところである。
【先行技術文献】
【特許文献】
【０００４】
【特許文献１】特表平８−５１２１３２号公報
【考案の概要】
【考案が解決しようとする課題】
【０００５】
前述した公知構造の欠点に鑑み、本考案の第１の目的は、前本体及び後本体を利用して上結合部及び下結合部を互いに装着し、それによりエストロゲンが存在する唾液を前本体或いは後本体の上載ガラス或いは下載ガラスに塗布し、ディヒューザーが均等に発光体の光源を上載ガラス或いは下載ガラスに投射する。電気供給セットの交換は回して組み立てることで、従来技術の難所を克服する排卵測定器の構造を提供することにある。
【０００６】
本考案の第２の目的は、クリップを利用し、レンズを具有する携帯電話に挟持して自動的に焦点を調整し、異なる時間に上載ガラス或いは下載ガラスに塗布した唾液が乾燥して結晶になった写真を記録として撮ることができる排卵測定器の構造を提供することにある。
【０００７】
本考案の第３の目的は、繰り返して使用することができ、操作は時間がかからず簡単であるほか、異なる時間の唾液の結晶記録を提供し、手軽に比較してみることができる。前本体と後本体を損壊しにくく、及び唾液が上載ガラス或いは下載ガラスから外れることによる汚染が少ない排卵測定器の構造を提供することにある。
【０００８】
本考案の第４の目的は、有効的にその使用の便利性、エコ及び正確さがアップする排卵測定器の構造を提供することにある。
【０００９】
本考案で解決しようとする課題は、女性が排卵の有無を知るためには、排卵テストスティックで黄体形成ホルモン(ＬＨ)のピーク値をチェックして排卵しているか否かを予測する。しかし、従来の排卵テストスティックの正確率は僅か７５％しかなく、排卵テストスティックは排卵のおよそな時間を予測できても、排卵当日の確定はできない。排卵テストスティックは前もって陽性と示すが、陽性を示しても排卵の提示がなく、５０％の確率で陽性と示してから２４から７２時間内で排卵する。具体的な時間を知る由もないため、妊娠したくない女性が妊娠したり、或いは妊娠したい女性が受精に失敗したりする結果を招く。また、従来品の排卵テストスティックの価格は高く、重複して使用できず、エコではないほか、操作は隠れてトイレで行う必要がある。また、尿液を小さなシートの排卵テストスティックに塗るのは難しく且つ時間も手間もかかる。更に排卵テストスティック及びその外側のハードプラスティックケースのゴミを作り出すなど、実用的ではない。
【課題を解決するための手段】
【００１０】
本考案は上述した点を考慮して案出し、ついに完成したのは、前本体及び後本体を利用して上結合部及び下結合部を互いに装着し、それによりエストロゲンが存在する唾液を前本体或いは後本体の上載ガラス或いは下載ガラスに塗布し、ディヒューザーが均等に発光体の光源を上載ガラス或いは下載ガラスに投射する。電気供給セットの交換は回して組み立てるものである。更にクリップを利用し、レンズを具有する携帯電話に挟持して自動的に焦点を調整し、異なる時間に上載ガラス或いは下載ガラスに塗布した唾液が乾燥して結晶になった写真を記録として撮ることができる。更にそれを繰り返して使用することができ、操作は時間がかからず簡単であるほか、異なる時間の唾液の結晶記録を提供し、手軽に比較してみることができる。前本体と後本体を損壊しにくく、及び唾液が上載ガラス或いは下載ガラスから外れることによる汚染が少なく、有効的にその使用の便利性、エコ及び正確さがアップする。
【００１１】
すなわち、上述の目的を解決するために、本考案は排卵測定器の構造を提供するもので、本考案に含まれる構成は前本体と後本体である。該前本体は筒状体を呈し、当該内側及び内側端にそれぞれ上結合部及び上載ガラスを設ける。該外側端にスイッチを設け、且つ外結合部を具有する。該外結合部は前本体に設ける内結合部と対応し、スイッチと上載ガラスの間で、外側から内側に向かって順に、電気供給セット及び、電気供給セットと接続する発発光体を設ける。該発光体と上載ガラスの間にディヒューザーを設ける。
【００１２】
該後本体は、前本体の内側に設け、それは筒状体を呈し、且つ内側及び内側端にそれぞれ、前本体の上結合部と対応する下結合部及び、前本体の上載ガラスと対応する下載ガラスを設ける。
最良実施例として、本考案の前本体の上結合部及び後本体の下結合部は磁石或いは掛合できる栓にできる。
更に本考案の後本体の外側の周りに溝及び底溝を設け、且つ底溝に隣接して一つの弾性フックを突出して設ける。
更に本考案の後本体の外側端にクリップを設ける。
【００１３】
最良実施例として、本考案のクリップは互いに套合して対応する二つの挟持部及び、二つの挟持部の間に設けるスプリングを含む。その中で、後本体の外側に隣接する峡持部に、後本体のレンズと対応する穴を設ける。且つ該外側端から受け台を延伸して設ける。該受け台の内側縁に、後本体の溝に対応するフランジを設ける。且つ該受け台は後本体の弾性フックに対応して嵌合穴を設ける。
【００１４】
更に、本考案のクリップの受け台に、後本体の底溝と対応する定位突起を設ける。
更に、本考案のクリップの二つの挟持部の内側に、それぞれ緩衝材を設ける。
更に、本考案のクリップに携帯電話を設け、且つ該携帯電話はレンズ及びクリップの峡持部に対応するの穴を具有する。
【００１５】
したがって、従来技術の機能・作用と比較すれば、本考案の構造により前本体及び後本体を利用して上結合部及び下結合部を互いに装着し、それによりエストロゲンが存在する唾液を前本体或いは後本体の上載ガラス或いは下載ガラスに塗布し、ディヒューザーが均等に発光体の光源を上載ガラス或いは下載ガラスに投射する。電気供給セットの交換は回して組み立てるものである。更にクリップを利用し、レンズを具有する携帯電話に挟持して自動的に焦点を調整し、異なる時間に上載ガラス或いは下載ガラスに塗布した唾液が乾燥して結晶になった写真を記録として撮ることができる。更にそれを繰り返して使用することができ、操作は時間がかからず簡単であるほか、異なる時間の唾液の結晶記録を提供し、手軽に比較してみることができる。前本体と後本体を損壊しにくく、及び唾液が上載ガラス或いは下載ガラスから外れることによる汚染が少なく、有効的にその使用の便利性、エコ及び正確さがアップする。
【考案の効果】
【００１６】
本考案の排卵測定器の構造によれば、前述したように、繰り返して使用することができ、操作は時間がかからず簡単であるほか、異なる時間の唾液の結晶記録を提供し、手軽に比較してみることができる。前本体と後本体を損壊しにくく、及び唾液が上載ガラス或いは下載ガラスから外れることによる汚染が少ない。結果として、有効的にその使用の便利性、エコ及び正確さがアップするという効果を奏する。
【図面の簡単な説明】
【００１７】
【図１】本考案の実施例の立体分解図である。
【図２】本考案の立体組立図である。
【図３】本考案の組立断面図である。
【図４】本考案の上載ガラス或いは下載ガラスに唾液を塗布して乾かした実施例図である。
【図５】本考案の後本体に設けるクリップの立体分解図である。
【図６】本考案の後本体に設けるクリップの組立断面図である。
【図７】図５のクリップを使って携帯電話を結合し、自動的に焦点を合わせて写真を撮る実施例図である。
【考案を実施するための形態】
【００１８】
以下、本考案の構造と特徴および効果を、最良実施例と図面を参照しながら詳細に説明する。図面に基づき、実施例を持って詳細に下記に説明する。文中にて使用する図面の主旨は、説明書の説明及び補助のものであり、本考案を実施した後の実際の比例及び正確な配置とは限らないため、添付図面の比例と配置関係を持って本考案の範囲を制限しない。
【実施例】
【００１９】
図１、図２、図３及び図４に示すのは、本考案の立体分解図、本考案の立体組立図、本考案の組立断面図及び本考案の上載ガラス或いは下載ガラスに唾液を塗布し、乾かした実施例図である。本考案の排卵測定器の構造の一つの最良実施例の中で、含まれるのは前本体１と後本体２である。
【００２０】
前記の一つの前本体１は一つの筒状体を呈し、当該内側及び内側端にそれぞれ一つの上結合部１１及び一つの上載ガラス１２を設ける。該外側端に一つのスイッチ１３を設け、且つ一つの外結合部１３１を具有する。該外結合部１３は、本実施例ではねじ山であるが、それに限られず、嵌合するための凹凸にすることもできる。また、該外結合部１３１は前本体１に設ける一つの内結合部１０と対応し、同様に本実施例では、該内結合部１０はねじ山であるが、それに限られず、嵌合するための凹凸にすることもできる。更に、スイッチ１３と上載ガラス１２の間で、外側から内側に向かって順に、一つの電気供給セット１４及び、電気供給セットと接続する一つの発光体１５を設ける。
【００２１】
該発光体１５と上載ガラス１２の間に一つのディヒューザー１６を設ける。本実施例では該発光体１５は発光ダイオードであるが、それに限られず、発光ダイオードの他に、発光源となる様々な発光体１５にすることができ、全て本考案の範囲とする。電気供給セット１４を交換したい場合は該スイッチを利用し、該スイッチは一つの外結合部１３１と前本体１と対応する一つの内結合部を具有する。本実施例では回すことで、交換する電気供給セット１４を開け、交換した後は更に回して組み立てるだけで良い。
【００２２】
前記の一つの後本体２は、前本体１の内側に設け、それは一つの筒状体を呈し、且つ内側及び内側端にそれぞれ、前本体１の上結合部１１と対応する一つの下結合部２１及び、前本体１の上載ガラス１２と対応する一つの下載ガラスを設ける。該後本体２の中央の下載ガラス２２に隣接した場所に少なくとも一つのレンズ２３を設ける。本実施例の前本体１の上結合部１１及び後本体２の下結合部２１は、互いに掛合できる栓であるが、それに限られず、互いに吸引する磁石にすることもでき、或いは、前述の栓及び磁石のほか、様々な互いに結合できる上、下結合部１１、２１は全て本考案の範囲とする。更に該後本体２の外側の周りに一つの溝２４及び一つの底溝２５を設け、且つ底溝２５に隣接して一つの弾性フック２６を突出して設ける。
【００２３】
本考案の実施例の排卵測定器を使用するのは簡単である。
前本体１及び後本体２が元々互いに結合する上結合部１１及び下結合部２１を互いに離すだけである。この時、前本体１の内側端に設ける上載ガラス１２及び、後本体２の内側端に設ける下載ガラス２２が露出する。検査したいユーザーの唾液５を、個人の好み、或いは習慣に基づき、上載ガラス１２或いは下載ガラス２２の上に塗布する。そのまま約５分間、唾液５が完全に乾ききって結晶になるまで乾かしてから、更に前本体１及び後本体２を、該上結合部１１及び下結合部２１を利用して一体に結合する。更に発光体１５を使って、ディヒューザー１６を通じて、上載ガラス１２或いは下載ガラス２２で結晶になった唾液５を、レンズ２３を通して見るだけでよい。
【００２４】
結果判定として、気泡状は安全期である。仮に気泡状と気泡では過渡期であり、松の葉や雪の結晶の形は排卵期である。本考案は異なる時期のエストロゲンの結晶イメージが、女性の生理周期の循環に従い、規律のある変化を利用したものである。エストロゲンは女性の唾液と子宮頚の粘液に存在する。よって、発光体１５、ディヒューザー１６、レンズ２３などの光学設備を通じて、女性の唾液或いは子宮頚粘液にあるエストロゲンの結晶イメージを観察すれば、該生理周期の排卵期、過渡期及び安全期を確認することができる。
【００２５】
図５、図６及び図７に示すのは、本考案の後本体に設けるクリップの立体分解図と、本考案の後本体に設けるクリップの組立断面図及び本考案の図５の、クリップを使って、携帯電話と結合し、自動的に焦点を調整して写真を撮る実施例図である。図５、図６に示すように、本考案の後本体２の外側端に一つのクリップ３を設け、該クリップ３は互いに套合して対応する二つの挟持部３１、３２及び、二つの挟持部３１、３２の間に設けるスプリング３３を含む。その中で、後本体２の外側に隣接する一つの挟持部３２に、後本体２のレンズ２３と対応する穴３２０を設ける。該一つの挟持部３２の外側端から一つの受け台３４を延伸して設ける。該受け台３４の内側縁に、後本体２の溝２４に対応する一つのフランジ３４１を設ける。該受け台３４は後本体２の弾性フック２６に対応して一つの嵌合穴３５を設ける。
【００２６】
また、該クリップ３の受け台３４に、後本体２の底溝２２と対応する一つの定位突起３４２を設ける。携帯電話４を挟持して更に安定して滑らないために、該クリップ３の二つの挟持部３１、３２の内側に、それぞれ一つの緩衝材３１１、３２１を設ける。携帯電話４とクリップ３を結合する際、該携帯電話４に設けるレンズ４１はクリップ３の一つの挟持部３１の穴３２０に対応する。本実施例の該受け台３４の形状はＵ字型であるが、それに限られず、後本体２を套合する様々な形状は全て本考案の範囲とする。
【００２７】
本考案の後本体２とクリップ３を嵌合固定するには、クリップ４に設けるフランジ３４１の受け台３４を後本体２の外回りの溝２４に套設する。後本体２の底溝２５及び弾性フック２６はそれぞれ受け台３４に設ける定位突起３４２と嵌設し、及び受け台３４に設ける嵌合穴３５と掛合する。同時に筒状体を呈す後本体２は、クリップ３と互いに対応する後本体２の挟持部６２に設ける穴３２０と互いに対応し、更にクリップ３の二つの挟持部３１、３２は、レンズ４１を具有する携帯電話４を挟む。携帯電話４のレンズ４１は挟持部３２に設ける穴３２０及び後本体２のレンズ２３を通じて、更に携帯電話４のレンズ４１が、上載ガラス１２或いは下載ガラス２２に塗布した唾液５の結晶に自動的に焦点を調整し、発光体１５はディヒューザー１６を利用して発光体１５の光源を拡大し、且つ均等に上載ガラス１２或いは下載ガラス２２に投射し、携帯電話４が写真を撮って保存し、及び比較するのに便利になる(図７を参照)。
【００２８】
この構造により、本考案は前本体１及び後本体２を利用して上結合部１１及び下結合部２１を互いに装着し、それによりエストロゲンが存在する唾液５を前本体１或いは後本体２の上載ガラス１２或いは下載ガラス２２に塗布し、ディヒューザー１６が均等に発光体１５の光源を上載ガラス１２或いは下載ガラス２２に投射する。電気供給セット１４の交換は回して組み立てるものである。更にクリップ３を利用し、レンズ４１を具有する携帯電話４に挟持して自動的に焦点を調整し、異なる時間に上載ガラス１２或いは下載ガラス２２に塗布した唾液５が乾燥して結晶になった写真を記録として撮ることができる。
【００２９】
更に、それを繰り返して使用することができ、操作は時間がかからず簡単であるほか、異なる時間の唾液５の結晶記録を提供し、手軽に比較してみることができる。前本体１と後本体２を損壊しにくく、及び唾液５が上載ガラス１２或いは下載ガラス２２から外れることによる汚染が少なく、有効的にその使用の便利性、エコ及び正確さがアップする。
【００３０】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００３１】
１  前本体
１０  内結合部
１１  上結合部
１２  上載ガラス
１３  スイッチ
１３１  外結合部
１４  電気供給セット
１５  発光体
１６  ディヒューザー
２  後本体
２１  下結合部
２２  下載ガラス
２３  レンズ
２４  溝
２５  底溝
２６  弾性フック
３  クリップ
３１  挟持部
３１１ 緩衝材
３２  挟持部
３２０  穴
３２１  緩衝材
３３  スプリング
３４  受け台
３４１  フランジ
３２４  定位突起
３５  嵌合穴
４  携帯電話
４１  レンズ
５  唾液
【図１】
0003203552.tif 000003
【図２】
0003203552.tif 000004
【図３】
0003203552.tif 000005
【図４】
0003203552.tif 000006
【図５】
0003203552.tif 000007
【図６】
0003203552.tif 000008
【図７】
0003203552.tif 000009
【手続補正書】
【提出日】平成28年1月29日(2016.1.29)
【手続補正１】
【補正対象書類名】実用新案登録請求の範囲
【補正対象項目名】全文
【補正方法】変更
【補正の内容】
【実用新案登録請求の範囲】
【請求項１】
前本体及び後本体を具有し、
該前本体は筒状体を呈し、当該内側及び内側端にそれぞれ上結合部及び上載ガラスを設け、該外側端にスイッチを設け、且つ外結合部を具有し、該外結合部は前本体に設ける内結合部と対応し、スイッチと上載ガラスの間で、外側から内側に向かって順に、電気供給セット及び、電気供給セットと接続する発光体を設け、該発光体と上載ガラスの間にディヒューザーを設け、
該後本体は、前本体の内側に設け、それは筒状体を呈し、且つ内側及び内側端にそれぞれ、前本体の上結合部と対応する下結合部及び、前本体の上載ガラスと対応する下載ガラスを設け、該後本体の中央の下載ガラスに隣接した場所に少なくともレンズを設けることを特徴とする排卵測定器の構造。
【請求項２】
前記前本体の上結合部及び後本体の下結合部は磁石或いは掛合できる栓にできることを特徴とする請求項１記載の排卵測定器の構造。
【請求項３】
前記後本体の外側の周りに溝及び底溝を設け、且つ底溝に隣接して弾性フックを突出して設けることを特徴とする請求項１記載の排卵測定器の構造。
【請求項４】
前記後本体の外側端にクリップを設けることを特徴とする請求項１記載の排卵測定器の構造。
【請求項５】
前記後本体の外側端にクリップを設けることを特徴とする請求項３記載の排卵測定器の構造。
【請求項６】
前記クリップは互いに套合して対応する二つの挟持部及び、二つの挟持部の間に設けるスプリングを含み、その中で、後本体の外側に隣接する狭持部に、後本体のレンズと対応する穴を設け、且つ該外側端から受け台を延伸して設け、該受け台の内側縁に、後本体の溝に対応するフランジを設け、且つ該受け台は後本体の弾性フックに対応して嵌穴を設けることを特徴とする請求項５記載の排卵測定器の構造。
【請求項７】
前記クリップの受け台に、後本体の底溝と対応する定位突起を設けることを特徴とする請求項６記載の排卵測定器の構造。
【請求項８】
前記クリップの受け台に、後本体の底溝と対応する定位突起を設けることを特徴とする請求項６記載の排卵測定器の構造。
【請求項９】
前記クリップの二つの挟持部の内側に、それぞれ緩衝材を設けることを特徴とする請求項８記載の排卵測定器の構造。
【請求項１０】
前記クリップに携帯電話を設け、且つ該携帯電話はレンズ及びクリップの挟持部に対応する穴を具有することを特徴とする請求項９記載の排卵測定器の構造。